(57)【要約】  地図画面とメニュー画面の利便性に優れたナビゲーション装置を得る。  表示制御部１５は、操作入力部１０からの操作情報によりメニュー画面を表示するとき、経路探索部１２と自車位置特定部とからの移動体の走行状態の情報を用いて地図画面とメニュー画面の表示形態を決定する。地図表示生成部１６は、表示制御部１５からの表示形態の情報に応じて地図画面を生成する。メニュー表示生成部１７は、表示制御部１５からの表示形態の情報に応じてメニュー画面を生成する。表示部２１は、地図表示生成部１６からの地図画面及びメニュー表示生成部１７からのメニュー画面を表示するものである。選択図  図１
2010137091.tif 000002
【特許請求の範囲】
【請求項１】
移動体の移動速度及び現在位置を特定する自車位置特定部と、
ユーザの操作を入力する操作入力部と、
地図データを記録した地図データベースと、
目的地までの経路を探索する経路探索部と、
前記操作入力部からの操作情報によりメニュー画面を表示するとき、前記経路探索部と前記自車位置特定部とからの前記移動体の走行状態の情報を用いて地図画面とメニュー画面の表示形態を決定する表示制御部と、
前記表示制御部からの表示形態の情報に応じて地図画面を生成する地図表示生成部と、  前記表示制御部からの表示形態の情報に応じてメニュー画面を生成するメニュー表示生成部と、
前記地図表示生成部からの地図画面及び前記メニュー表示生成部からのメニュー画面を表示する表示部とを備えたナビゲーション装置。
【請求項２】
前記表示制御部は、前記走行状態の情報として、移動体の移動速度、経路の有無、及び、この経路が有る場合は案内対象交差点と現在位置との距離を用いて地図画面とメニュー画面の表示形態を決定する請求項１記載のナビゲーション装置。
【請求項３】
前記表示制御部は、前記移動速度が所定値を越えるとき、前記メニュー画面の表示面積を減少、又は、操作可能なメニューを制限する請求項２記載のナビゲーション装置。
【請求項４】
前記表示制御部は、前記案内対象交差点と現在位置とが所定距離以内になるとき、前記地図画面の中での前記案内対象交差点を強調表示する請求項２記載のナビゲーション装置。
【請求項５】
前記表示制御部は、前記移動速度が所定値以下のとき、前記地図画面の中に信号又は交差点ごとの進行方向を示す簡易地図を表示する請求項４記載のナビゲーション装置。
【発明の詳細な説明】
【技術分野】
【０００１】
この発明は、車両等の移動体に搭載され、地図の表示や目的地までの案内を行うナビゲーション装置に関する。
【背景技術】
【０００２】
従来の地図表示装置においては、経路案内の際に地図画面中における誘導経路の表示位置と、情報表示・メニューウィンドウ画面の表示位置が重なる場合には、画面中における誘導経路が隠れないように情報表示・メニューウィンドウ画面を表示する。これにより、誘導経路が見えなくて困るという事態を防止できる（例えば、特許文献１参照。）。
【先行技術文献】
【特許文献】
【０００３】
【特許文献１】特開２００６−３００９５５号公報（第７〜８頁、第６図）
【発明の概要】
【発明が解決しようとする課題】
【０００４】
従来の地図表示装置及びプログラムにおいては、誘導経路が隠れないよう情報表示・メニューウィンドウ画面を表示しているが、車両の走行状態に応じてメニューウィンドウ画面を表示していないため、ユーザの利便性に欠けるといった問題があった。【０００５】
この発明は、上述のような問題点を解決するためになされたもので、地図画面とメニュー画面の利便性に優れたナビゲーション装置を得るものである。
【課題を解決するための手段】
【０００６】
この発明に係るナビゲーション装置は、移動体の移動速度及び現在位置を特定する自車位置特定部と、ユーザの操作を入力する操作入力部と、地図データを記録した地図データベースと、目的地までの経路を探索する経路探索部と、表示制御部と、地図表示生成部と、メニュー表示生成部と、表示部とを備える。表示制御部は、操作入力部からの操作情報によりメニュー画面を表示するとき、経路探索部と自車位置特定部とからの移動体の走行状態の情報を用いて地図画面とメニュー画面の表示形態を決定する。地図表示生成部は、表示制御部からの表示形態の情報に応じて地図画面を生成する。メニュー表示生成部は、表示制御部からの表示形態の情報に応じてメニュー画面を生成する。表示部は、地図表示生成部からの地図画面及びメニュー表示生成部からのメニュー画面を表示するものである。
【発明の効果】
【０００７】
この発明によれば、移動体の走行状態に応じて地図画面とメニュー画面が表示されるので、利便性に優れたナビゲーション装置が得られる。
【図面の簡単な説明】
【０００８】
【図１】この発明の実施の形態１〜３のナビゲーション装置を示すブロック図である。
【図２】この発明の実施の形態１〜３の動作を示すフローチャートである。
【図３】この発明の実施の形態１〜３の動作を示すフローチャートである。
【図４】この発明の実施の形態１を示す画面表示の例である。
【図５】この発明の実施の形態１を示す画面表示の例である。
【図６】この発明の実施の形態２を示す画面表示の例である。
【図７】この発明の実施の形態２を示す画面表示の例である。
【図８】この発明の実施の形態３を示す画面表示の例である。
【発明を実施するための形態】
【０００９】
実施の形態１．
図１は、この発明の実施の形態１における車両等の移動体のナビゲーション装置を示すブロック図である。ナビゲーション装置１の中にある制御部２は、例えばマイクロコンピュータとメモリから構成されており、この装置の全体を制御する。なお、後述するマップマッチング部１１、経路探索部１２、経路案内部１３、表示制御部１５、地図表示生成部１６、メニュー表示生成部１７は、このマイクロコンピュータの制御の下で動作するアプリケーションプログラムから構成されている。
【００１０】
ＧＰＳ（Ｇｌｏｂａｌ  Ｐｏｓｉｔｉｏｎｉｎｇ  Ｓｙｓｔｅｍ）受信機４は、ＧＰＳ衛星からのＧＰＳ信号をＧＰＳ受信用のアンテナ３を介して受信し、これに基づき車両の現在位置を検出する。車速センサ６は、移動体の移動速度を検出する。ジャイロセンサ７は、移動体の進行方位を検出する。道路情報受信機９は、ＦＭ放送波や、電波ビーコン、光ビーコンなどからの渋滞や規制などの道路情報信号を道路情報受信用のアンテナ８を介して受信する。
【００１１】
操作入力部１０は、図示しない操作パネルやリモコン等からユーザの操作を受け取る。マップマッチング部１１は、ＧＰＳ受信機４からの現在位置データおよび車速センサ６から送られてくる速度データとジャイロセンサ７から送られてくる方位データとにより生成された現在位置を、地図ＤＢ（Ｄａｔａ  Ｂａｓｅ）１８から読み出した地図データによって表される地図と対応させ、移動体の現在位置を特定する。これら、ＧＰＳ受信機４、車速センサ６、ジャイロセンサ７、マップマッチング部１１は、自車位置特定部を構成する。
【００１２】
経路探索部１２は、地図ＤＢ１８からの地図データを用い、ユーザによって操作入力部１０で入力された移動体の出発地点や設定地点もしくは現在位置等から目的地まで、又は、経由地を経由し目的地までの経路を探索する。経路案内部１３は、経路探索部１２で探索された経路に沿って、移動体が移動する際に出力する経路案内図および経路案内メッセージを生成する。スピーカー１４は、経路案内部１３から送られてくる経路案内メッセージを音声で出力する。
【００１３】
表示制御部１５は、地図表示生成部１６による地図画面と、メニュー表示生成部１７によるメニュー画面のそれぞれの表示形態を決定し制御する。地図表示生成部１６は、表示制御部１５からの表示形態の情報に応じて、地図データと施設データを有する地図ＤＢ１８のデータを用いて地図画面を生成する。メニュー表示生成部１７は、表示制御部１５からの表示形態の情報に応じて、メニューを表示するための画像データを記憶するメニュー表示画像ＤＢ（Ｄａｔａ  Ｂａｓｅ）１９のデータを用いてメニュー画面を生成する。これらのＤＢは、例えばＨＤＤ（Ｈａｒｄ   Ｄｉｓｋ   Ｄｒｉｖｅ）や大容量メモリ等から構成される。
【００１４】
表示合成部２０は、地図表示生成部１６からの地図画面と、メニュー表示生成部１７からのメニュー画面とを合成し、例えばＬＣＤ（Ｌｉｑｕｉｄ   Ｃｒｙｓｔａｌ   Ｄｉｓｐｌａｙ）から構成されるモニター等の表示部２１に出力する。
【００１５】
なお、このナビゲーション装置１は、アンテナ３、アンテナ８、スピーカ１４は移動体に備え付けのものを使っているが、ナビゲーション装置１に含まれていても良い。
【００１６】
このように構成されたナビゲーション装置の動作について図２、図３のフローチャートに従って説明する。また、図４は経路設定が有る場合、図５は経路設定が無い場合の画面表示の例を示す。さて、ナビゲーション装置１を動作させると、図４（ａ）、図５（ａ）に示すように、ナビゲーション装置１を搭載した移動体の位置を示す自車マークを含む地図画面が表示される（図２、ステップＳ１００）。なお、図中では、画面中央の下部にある略三角形状のものが自車マークであり、この先端が現在位置を示している。
【００１７】
次に、メニュー画面を呼出すためにメニューボタンが押下されたかを判定する（ステップＳ１１０）。押下されていない場合は、現在位置を更新しステップＳ１００を繰り返す。押下された場合は、経路設定がされているかを判定する（ステップＳ１２０）。経路設定がされていない時はステップＳ１５０へ進む。経路設定がされている場合は、自車の現在位置と案内対象交差点が所定距離以内かどうか、つまり、案内対象交差点からの距離が近いかどうかを判定する（ステップＳ１３０）。距離が遠い場合は、自車の移動速度が所定値以下かどうかを判定する（ステップＳ１４０）。
【００１８】
移動速度が遅い場合、特に停車中は、ユーザはメニューの操作がしやすくなるので、図４（ｂ）に示すように、メニューと地図の表示形態として、メニューを強調表示し、地図の気配が感じられるようにルート付き地図を小さく表示する（ステップＳ１６０）。この時のメニューは通常のメニューであり、すべての項目が選択可能となっている。また、この時の地図は、案内対象交差点を含んだスケールの地図であったり、施設や名称等を削除したものであったり、細街路を除き主要な道だけとし簡略表示したものであったり、コントラストを弱くして薄く表示するものであっても良い。
【００１９】
一方、ステップＳ１４０で所定値を越える移動速度の場合は、地図が見やすいほうが運転しやすいので、図４（ｃ）に示すように、メニューと地図の表示形態として、メニューの気配が感じられるようにメニューを小さく表示し、ルート付き地図を強調表示する（ステップＳ１６１）。この時のメニューは、図４（ｂ）と比べ、表示面積を小さくする。また、特定のメニュー項目をグレー等の表示にして選択操作ができないように制限したり、文字表現を削除しマークだけとしたりしても良い。また、この時の地図は、図４（ｂ）と比べ、表示面積を広くしたり、広範囲を表示したりすると良い。
【００２０】
さて、ステップＳ１３０で案内対象交差点からの距離が近い場合は、図４（ｄ）、（ｅ）に示すように、メニューと地図の表示形態として、メニューの気配が感じられるようにメニューを小さく表示し、案内対象交差点の地図を強調表示する（ステップＳ１６２）。交差点で曲がることを強調表示することにより、運転者に注意を促すことが出来る。この時の地図は、交差点の表示サイズを大きくしたり、コントラストを強くして濃く表示したり、点滅等をさせてユーザに分かりやすくしたりすると良い。また、この時のメニューは、表示面積を小さくし、メニュー項目をグレー等の表示にして選択操作を制限したり、文字表現を削除しマークだけとしたりしても良い。なお、ステップＳ１６２の際に、自車の移動速度が所定値以下かどうか、特に停車中かどうかで、メニュー項目に制限を加えても良い。つまり、停車中はメニュー操作できる項目は多少有るが（図４（ｄ））、移動中は全てのメニューをグレー等の表示（図４（ｅ））としてメニューの操作を不可としてもよい。
【００２１】
ステップＳ１２０で経路設定がされていない時は、自車の移動速度が所定値以下かどうかを判定する（ステップＳ１５０）。移動速度が遅い場合、特に停車中は、メニューの操作がしやすくなるので、図５（ｂ）に示すように、メニューと地図の表示形態として、メニューを強調表示し、地図の気配が感じられるように現在地付き地図を小さく表示する（ステップＳ１６３）。この時のメニューは通常のメニューであり、すべての項目が選択可能となっている。また、この時の地図は、自車の現在位置周辺を含んだスケールの地図であったり、施設や名称等を削除したものであったり、細街路を除き主要な道だけとし簡略表示したものであったり、コントラストを弱くして薄く表示するものであっても良い。
【００２２】
一方、ステップＳ１５０で所定値を越える移動速度の場合は、地図が見やすいほうが運転しやすいので、図５（ｃ）に示すように、メニューと地図の表示形態として、メニューの気配が感じられるようにメニューを小さく表示し、現在地付き地図を強調表示する（ステップＳ１６４）。この時のメニューは、図５（ｂ）と比べ、表示面積を小さくする。また、特定のメニュー項目をグレー等の表示にして選択操作ができないようにしたり、文字表現を削除しマークだけとしたりしても良い。また、この時の地図は、図５（ｂ）と比べ、表示面積を広くしたり、広範囲を表示したりすると良い。
【００２３】
メニューと地図の同時表示方法は、図３のフローチャートに示すように、まず、表示形態を表示制御部１５で決定する（ステップＳ２００）。これは、上述したように、ステップＳ１６０〜Ｓ１６４の５通りとなる。次に、自車位置の移動に伴い、自車位置更新を反映した地図画面の表示生成を地図表示生成部１６が行うと共に、メニュー操作を反映したメニュー画面の表示生成をメニュー表示生成部１７が行う（ステップＳ２１０）。その後、表示合成部２０は、地図画面とメニュー画面の表示の合成や重畳を行い（ステップＳ２２０）、最後に合成画面をモニター等の表示部２１に出力する（ステップＳ２３０）。
【００２４】
このように、地図画面とメニュー画面を合成したり、重畳したりして表示している際に、メニュー画面の中のボタンが選択された場合は、その処理を適宜行う。その後、戻る又は現在地ボタンが押下されたかを判定し（図２、ステップＳ１７０）、押されていない場合はステップＳ１２０に戻って、メニューと地図の同時表示を続ける。押された時は、メニュー画面を表示せず、地図画面表示だけを行って（ステップＳ１８０）処理が終了する。
【００２５】
このように構成されたナビゲーション装置は、車両の移動速度、経路設定の有無、案内対象交差点からの距離を用い、走行状態に応じて地図とメニューの表示を変える。停車中は地図を小さく表示し、メニューを強調表示するので、メニュー操作がしやすくなる。また、運転中はメニューを小さく表示し、地図を強調して大きく表示するので、地図の視認が容易となり、運転しやすくなる。更に、経路設定されている場合は、案内対象交差点が強調表示されるので、ルートを間違えにくく、運転がしやすくなる。このように、走行状態に応じて地図画面とメニュー画面の表示形態が変化して表示されるので、利便性に優れたナビゲーション装置が得られる。
【００２６】
実施の形態２．
実施の形態１では、地図画面とメニュー画面を別々のウィンドウで表示する例を示したが、本実施の形態２では、メニュー画面の透過率を変えてメニューの下に地図が透けて見えるようにすることにより、地図がシームレスな表示となり、見やすくて使いやすいナビゲーション装置について述べる。
【００２７】
装置構成は図１のブロック図と同じであり、フローチャートも図２、図３と同じである。実施の形態１との差異は、経路設定がある場合は図６、経路設定がない場合は図７の画面表示例であり、以下、この差異点について説明する。
【００２８】
ナビゲーション装置１を動作させると、図６（ａ）、図７（ａ）に示すように、ナビゲーション装置１を搭載した移動体の位置を示す自車マークを含む地図画面が表示される（図２、ステップＳ１００）。メニュー画面を呼出すためにメニューボタンが押された後、経路設定の有無、案内対象交差点との距離、移動速度を判定し、ステップＳ１６０〜Ｓ１６４の５通りの表示状態を決定する。
【００２９】
ステップＳ１６０に対応する図は、図６（ｂ）であり、本実施の形態２では、メニューを強調表示すると共に、地図の気配が感じられるようにメニューの透過率を変えて背後の地図が透けて見えるようにする。この時のメニューは半透明ではあるが通常のメニューであり、すべての項目が選択可能となっている。また、この時の地図は、図６（ａ）の地図と同じであるが、施設や名称等を削除したものであったり、細街路を除き主要な道だけとし簡略表示したものであったり、コントラストを弱くして薄く表示するものであっても良い。
【００３０】
ステップＳ１６１に対応する図は、図６（ｃ）であり、背後の地図はそのままとしながら、メニューの気配が感じられる程度にメニューの表示面積を小さくして項目がスクロールすると共に、メニューの透過率を変えて背後の地図が透けて見えるようにする。この時のメニューは、特定のメニュー項目をグレー等の表示にして選択操作ができないようにしたり、文字表現を削除しマークだけとしたりしても良い。また、この時の地図は、図６（ｂ）の地図と同じであるが、地図が見やすいように若干コントラストを上げても良い。
【００３１】
ステップＳ１６２に対応する図は、図６（ｄ）、（ｅ）であり、この時のメニューは、メニューの気配が感じられる程度にメニューの表示面積を小さくして項目がスクロールすると共に、メニューの透過率を変えて背後の地図が透けて見えるようにする。なお、メニュー項目をグレー等の表示にして選択操作を制限したり、文字表現を削除しマークだけとしたりしても良い。また、背景の地図は徐々に薄くし、そこに交差点の表示サイズを大きくして交差点で曲がることを強調表示する図をシームレスに追加する。この図は、コントラストを強くして濃く表示したり、点滅等をさせてユーザに分かりやすくしたりすると良い。なお、実施の形態１と同様に、自車の移動速度が所定値以下かどうか、特に停車中かどうかで、メニュー項目に制限を加えても良い。つまり、停車中はメニュー操作できる項目は多少有るが（図６（ｄ））、移動中は全てのメニューをグレー等の表示（図６（ｅ））としてメニューの操作を不可としてもよい。
【００３２】
ステップＳ１６３に対応する図は、図７（ｂ）であり、図６（ｂ）との差は経路が引かれていないだけである。メニューを強調表示すると共に、地図の気配が感じられるようにメニューの透過率を変えて背後の地図が透けて見えるようにする。この時のメニューは半透明ではあるが通常のメニューであり、すべての項目が選択可能となっている。また、この時の地図は、図７（ａ）の地図と同じであるが、施設や名称等を削除したものであったり、細街路を除き主要な道だけとし簡略表示したものであったり、コントラストを弱くして薄く表示するものであっても良い。
【００３３】
ステップＳ１６４に対応する図は、図７（ｃ）であり、図６（ｃ）との差は経路が引かれていないだけである。背後の地図はそのままとしながら、メニューの気配を感じる程度にメニューの表示面積を小さくして、項目がスクロールすると共に、メニューの透過率を変えて背後の地図が透けて見えるようにする。この時のメニューは、特定のメニュー項目をグレー等の表示にして選択操作ができないようにしたり、文字表現を削除しマークだけとしたりしても良い。また、この時の地図は、図７（ｂ）の地図と同じであるが、地図が見やすいように若干コントラストを上げても良い。
【００３４】
このように構成されたナビゲーション装置は、車両の移動速度、経路設定の有無、案内対象交差点からの距離を用い、走行状態に応じて地図とメニューの表示を変える際、メニューの透過率と大きさを変えて地図をシームレスに表示するので、地図が見やすくなると共に、メニューの操作性は向上する。また、案内対象交差点が強調表示されるので、利便性に優れたナビゲーション装置が得られる。
【００３５】
実施の形態３．
実施の形態１、２では、経路設定時の停車中の画面では地図を表示していたが、本実施の形態３では、信号等での進行方向を示す簡易地図を表示することより、案内対象交差点の目安を分かりやすくしたナビゲーション装置について述べる。
【００３６】
装置構成は図１のブロック図と同じであり、フローチャートも図２、図３と同じである。実施の形態１との差異は、図８（ｂ）の画面表示例であり、以下、この差異点について説明する。
【００３７】
ナビゲーション装置１を動作させると、図８（ａ）に示すように、ナビゲーション装置１を搭載した移動体の位置を示す自車マークを含む地図画面が表示される（図２、ステップＳ１００）。メニュー画面を呼出すためにメニューボタンが押された後、経路設定の有無、案内対象交差点との距離、移動速度を判定し、ステップＳ１６０〜Ｓ１６４の５通りの表示状態を決定する。
【００３８】
ステップＳ１６０に対応する図は、図８（ｂ）である。メニューを強調表示し、地図の経路の気配が感じられる簡易地図を表示する（ステップＳ１６０）。この時のメニューは、実施の形態１の図４（ｂ）のメニューと同じく、通常のメニュー表示であり、すべての項目が選択可能となっている。また、この時の簡易地図は、信号や交差点ごとに直進か曲がるかを示している。この図の場合は、４つめの信号を左折することになる。
【００３９】
なお、ステップＳ１６１に対応する図は図８（ｃ）、ステップＳ１６２に対応する図は図８（ｄ）、（ｅ）であり、これらの図は実施の形態１の図４（ｃ）〜（ｅ）と同じである。
【００４０】
このように構成されたナビゲーション装置は、車両の移動速度、経路設定の有無、案内対象交差点からの距離を用い、走行状態に応じて地図とメニューの表示を変える際、信号や交差点ごとに直進や曲がる表示をする簡易地図を表示するので、通常の地図を見ることが苦手な運転者でも理解しやすくなり、利便性に優れたナビゲーション装置が得られる。
【符号の説明】
【００４１】
１  ナビゲーション装置
２  制御部
３  アンテナ（ＧＰＳ受信用）
４  ＧＰＳ受信機
６  車速センサ
７  ジャイロセンサ
８  アンテナ（道路情報受信用）
９  道路情報受信機
１０  操作入力部
１１  マップマッチング部
１２  経路探索部
１３  経路案内部
１４  スピーカー
１５  表示制御部
１６  地図表示生成部
１７  メニュー表示生成部
１８  地図ＤＢ
１９  メニュー表示画像ＤＢ
２０  表示合成部
２１  表示部
【図１】
2010137091.tif 000003
【図２】
2010137091.tif 000004
【図３】
2010137091.tif 000005
【図４】
2010137091.tif 000006
【図５】
2010137091.tif 000007
【図６】
2010137091.tif 000008
【図７】
2010137091.tif 000009
【図８】
2010137091.tif 000010
【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
移動体の移動速度及び現在位置を特定する自車位置特定部と、
ユーザの操作を入力する操作入力部と、
地図データを記録した地図データベースと、
目的地までの経路を探索する経路探索部と、
前記操作入力部からの操作情報によりメニュー画面を表示するとき、前記経路探索部または前記自車位置特定部から得られる前記移動体の走行状態の情報を用いて地図画面またはメニュー画面の表示形態を決定する表示制御部と、
前記表示制御部からの表示形態の情報に応じて地図画面を生成する地図表示生成部と、  前記表示制御部からの表示形態の情報に応じてメニュー画面を生成するメニュー表示生成部と、
前記地図表示生成部からの地図画面及び前記メニュー表示生成部からのメニュー画面を表示する表示部とを備え、
前記表示制御部は、前記走行状態の情報を用いて地図画面またはメニュー画面の表示面積を変更するナビゲーション装置。
【請求項２】
前記表示制御部は、前記走行状態の情報として、移動体の移動速度、または経路設定が有る場合は案内対象交差点と現在位置との距離を用いる請求項１記載のナビゲーション装置。
【請求項３】
前記表示制御部は、前記移動速度が所定値を越える場合には、前記移動速度が所定値以下の場合よりも前記メニュー画面の表示面積を小さくする請求項２記載のナビゲーション装置。
【請求項４】
前記表示制御部は、前記移動速度が所定値以下の場合には、前記移動速度が所定値を超える場合よりも前記地図画面の表示面積を小さくする請求項２記載のナビゲーション装置。
【請求項５】
前記表示制御部は、前記案内対象交差点と現在位置とが所定距離以内である場合には、前記案内対象交差点と現在位置とが所定距離より遠い場合よりも前記メニュー画面の表示面積を小さくする請求項２記載のナビゲーション装置。
【請求項６】
前記表示制御部は、前記案内対象交差点と現在位置とが所定距離より遠い場合には、前記案内対象交差点と現在位置とが所定距離以内である場合よりも前記地図画面の表示面積を小さくする請求項２記載のナビゲーション装置。
【請求項７】
小さく表示されるメニュー画面は、大きく表示されるメニュー画面と比べて、文字表現を削除したものである請求項３または５記載のナビゲーション装置。
【請求項８】
前記表示制御部は、地図画面の表示面積を小さくする場合は、移動体の現在位置を含むよう地図画面を決定する請求項４記載のナビゲーション装置。
【請求項９】
小さく表示される地図画面は、大きく表示される地図画面と比べて、施設又は名称を削除したものである請求項４または６記載のナビゲーション装置。
【請求項１０】
小さく表示される地図画面は、大きく表示される地図画面と比べて、細街路を除いたものである請求項４または６記載のナビゲーション装置。
【請求項１１】
小さく表示される地図画面は、大きく表示される地図画面と比べて、コントラストを弱くして薄く表示される請求項４または６記載のナビゲーション装置。
【請求項１２】
小さく表示される地図画面は、信号または交差点ごとの進行方向を示す簡易地図である請求項４または６記載のナビゲーション装置。
【請求項１３】
前記案内対象交差点と現在位置とが所定距離以内である場合に表示される地図画面は、案内対象交差点の地図である請求項６記載のナビゲーション装置。
【手続補正２】
【補正対象書類名】明細書
【補正対象項目名】全文
【補正方法】変更
【補正の内容】
【発明の詳細な説明】
【技術分野】
【０００１】
この発明は、車両等の移動体に搭載され、地図の表示や目的地までの案内を行うナビゲーション装置に関する。
【背景技術】
【０００２】
従来の地図表示装置においては、経路案内の際に地図画面中における誘導経路の表示位置と、情報表示・メニューウィンドウ画面の表示位置が重なる場合には、画面中における誘導経路が隠れないように情報表示・メニューウィンドウ画面を表示する。これにより、誘導経路が見えなくて困るという事態を防止できる（例えば、特許文献１参照。）。
【先行技術文献】
【特許文献】
【０００３】
【特許文献１】特開２００６−３００９５５号公報（第７〜８頁、第６図）
【発明の概要】
【発明が解決しようとする課題】
【０００４】
従来の地図表示装置及びプログラムにおいては、誘導経路が隠れないよう情報表示・メニューウィンドウ画面を表示しているが、車両の走行状態に応じてメニューウィンドウ画面を表示していないため、ユーザの利便性に欠けるといった問題があった。
【０００５】
この発明は、上述のような問題点を解決するためになされたもので、地図画面とメニュー画面の利便性に優れたナビゲーション装置を得るものである。
【課題を解決するための手段】
【０００６】
この発明に係るナビゲーション装置は、移動体の移動速度及び現在位置を特定する自車位置特定部と、ユーザの操作を入力する操作入力部と、地図データを記録した地図データベースと、目的地までの経路を探索する経路探索部と、操作入力部からの操作情報によりメニュー画面を表示するとき、経路探索部または前記自車位置特定部から得られる前記移動体の走行状態の情報を用いて地図画面またはメニュー画面の表示形態を決定する表示制御部と、表示制御部からの表示形態の情報に応じて地図画面を生成する地図表示生成部と、表示制御部からの表示形態の情報に応じてメニュー画面を生成するメニュー表示生成部と、地図表示生成部からの地図画面及び前記メニュー表示生成部からのメニュー画面を表示する表示部とを備え、表示制御部は、走行状態の情報を用いて地図画面またはメニュー画面の表示面積を変更するものである。
【発明の効果】
【０００７】
この発明によれば、移動体の走行状態に応じて地図画面とメニュー画面が表示されるので、利便性に優れたナビゲーション装置が得られる。
【図面の簡単な説明】
【０００８】
【図１】この発明の実施の形態１〜３のナビゲーション装置を示すブロック図である。
【図２】この発明の実施の形態１〜３の動作を示すフローチャートである。
【図３】この発明の実施の形態１〜３の動作を示すフローチャートである。
【図４】この発明の実施の形態１を示す画面表示の例である。
【図５】この発明の実施の形態１を示す画面表示の例である。
【図６】この発明の実施の形態２を示す画面表示の例である。
【図７】この発明の実施の形態２を示す画面表示の例である。
【図８】この発明の実施の形態３を示す画面表示の例である。
【発明を実施するための形態】
【０００９】
実施の形態１．
図１は、この発明の実施の形態１における車両等の移動体のナビゲーション装置を示すブロック図である。ナビゲーション装置１の中にある制御部２は、例えばマイクロコンピュータとメモリから構成されており、この装置の全体を制御する。なお、後述するマップマッチング部１１、経路探索部１２、経路案内部１３、表示制御部１５、地図表示生成部１６、メニュー表示生成部１７は、このマイクロコンピュータの制御の下で動作するアプリケーションプログラムから構成されている。
【００１０】
ＧＰＳ（Ｇｌｏｂａｌ  Ｐｏｓｉｔｉｏｎｉｎｇ  Ｓｙｓｔｅｍ）受信機４は、ＧＰＳ衛星からのＧＰＳ信号をＧＰＳ受信用のアンテナ３を介して受信し、これに基づき車両の現在位置を検出する。車速センサ６は、移動体の移動速度を検出する。ジャイロセンサ７は、移動体の進行方位を検出する。道路情報受信機９は、ＦＭ放送波や、電波ビーコン、光ビーコンなどからの渋滞や規制などの道路情報信号を道路情報受信用のアンテナ８を介して受信する。
【００１１】
操作入力部１０は、図示しない操作パネルやリモコン等からユーザの操作を受け取る。マップマッチング部１１は、ＧＰＳ受信機４からの現在位置データおよび車速センサ６から送られてくる速度データとジャイロセンサ７から送られてくる方位データとにより生成された現在位置を、地図ＤＢ（Ｄａｔａ  Ｂａｓｅ）１８から読み出した地図データによって表される地図と対応させ、移動体の現在位置を特定する。これら、ＧＰＳ受信機４、車速センサ６、ジャイロセンサ７、マップマッチング部１１は、自車位置特定部を構成する。
【００１２】
経路探索部１２は、地図ＤＢ１８からの地図データを用い、ユーザによって操作入力部１０で入力された移動体の出発地点や設定地点もしくは現在位置等から目的地まで、又は、経由地を経由し目的地までの経路を探索する。経路案内部１３は、経路探索部１２で探索された経路に沿って、移動体が移動する際に出力する経路案内図および経路案内メッセージを生成する。スピーカー１４は、経路案内部１３から送られてくる経路案内メッセージを音声で出力する。
【００１３】
表示制御部１５は、地図表示生成部１６による地図画面と、メニュー表示生成部１７によるメニュー画面のそれぞれの表示形態を決定し制御する。地図表示生成部１６は、表示制御部１５からの表示形態の情報に応じて、地図データと施設データを有する地図ＤＢ１８のデータを用いて地図画面を生成する。メニュー表示生成部１７は、表示制御部１５からの表示形態の情報に応じて、メニューを表示するための画像データを記憶するメニュー表示画像ＤＢ（Ｄａｔａ  Ｂａｓｅ）１９のデータを用いてメニュー画面を生成する。これらのＤＢは、例えばＨＤＤ（Ｈａｒｄ   Ｄｉｓｋ   Ｄｒｉｖｅ）や大容量メモリ等から構成される。
【００１４】
表示合成部２０は、地図表示生成部１６からの地図画面と、メニュー表示生成部１７からのメニュー画面とを合成し、例えばＬＣＤ（Ｌｉｑｕｉｄ   Ｃｒｙｓｔａｌ   Ｄｉｓｐｌａｙ）から構成されるモニター等の表示部２１に出力する。
【００１５】
なお、このナビゲーション装置１は、アンテナ３、アンテナ８、スピーカ１４は移動体に備え付けのものを使っているが、ナビゲーション装置１に含まれていても良い。
【００１６】
このように構成されたナビゲーション装置の動作について図２、図３のフローチャートに従って説明する。また、図４は経路設定が有る場合、図５は経路設定が無い場合の画面表示の例を示す。さて、ナビゲーション装置１を動作させると、図４（ａ）、図５（ａ）に示すように、ナビゲーション装置１を搭載した移動体の位置を示す自車マークを含む地図画面が表示される（図２、ステップＳ１００）。なお、図中では、画面中央の下部にある略三角形状のものが自車マークであり、この先端が現在位置を示している。
【００１７】
次に、メニュー画面を呼出すためにメニューボタンが押下されたかを判定する（ステップＳ１１０）。押下されていない場合は、現在位置を更新しステップＳ１００を繰り返す。押下された場合は、経路設定がされているかを判定する（ステップＳ１２０）。経路設定がされていない時はステップＳ１５０へ進む。経路設定がされている場合は、自車の現在位置と案内対象交差点が所定距離以内かどうか、つまり、案内対象交差点からの距離が近いかどうかを判定する（ステップＳ１３０）。距離が遠い場合は、自車の移動速度が所定値以下かどうかを判定する（ステップＳ１４０）。
【００１８】
移動速度が遅い場合、特に停車中は、ユーザはメニューの操作がしやすくなるので、図４（ｂ）に示すように、メニューと地図の表示形態として、メニューを強調表示し、地図の気配が感じられるようにルート付き地図を小さく表示する（ステップＳ１６０）。この時のメニューは通常のメニューであり、すべての項目が選択可能となっている。また、この時の地図は、案内対象交差点を含んだスケールの地図であったり、施設や名称等を削除したものであったり、細街路を除き主要な道だけとし簡略表示したものであったり、コントラストを弱くして薄く表示するものであっても良い。
【００１９】
一方、ステップＳ１４０で所定値を越える移動速度の場合は、地図が見やすいほうが運転しやすいので、図４（ｃ）に示すように、メニューと地図の表示形態として、メニューの気配が感じられるようにメニューを小さく表示し、ルート付き地図を強調表示する（ステップＳ１６１）。この時のメニューは、図４（ｂ）と比べ、表示面積を小さくする。また、特定のメニュー項目をグレー等の表示にして選択操作ができないように制限したり、文字表現を削除しマークだけとしたりしても良い。また、この時の地図は、図４（ｂ）と比べ、表示面積を広くしたり、広範囲を表示したりすると良い。
【００２０】
さて、ステップＳ１３０で案内対象交差点からの距離が近い場合は、図４（ｄ）、（ｅ）に示すように、メニューと地図の表示形態として、メニューの気配が感じられるようにメニューを小さく表示し、案内対象交差点の地図を強調表示する（ステップＳ１６２）。交差点で曲がることを強調表示することにより、運転者に注意を促すことが出来る。この時の地図は、交差点の表示サイズを大きくしたり、コントラストを強くして濃く表示したり、点滅等をさせてユーザに分かりやすくしたりすると良い。また、この時のメニューは、表示面積を小さくし、メニュー項目をグレー等の表示にして選択操作を制限したり、文字表現を削除しマークだけとしたりしても良い。なお、ステップＳ１６２の際に、自車の移動速度が所定値以下かどうか、特に停車中かどうかで、メニュー項目に制限を加えても良い。つまり、停車中はメニュー操作できる項目は多少有るが（図４（ｄ））、移動中は全てのメニューをグレー等の表示（図４（ｅ））としてメニューの操作を不可としてもよい。
【００２１】
ステップＳ１２０で経路設定がされていない時は、自車の移動速度が所定値以下かどうかを判定する（ステップＳ１５０）。移動速度が遅い場合、特に停車中は、メニューの操作がしやすくなるので、図５（ｂ）に示すように、メニューと地図の表示形態として、メニューを強調表示し、地図の気配が感じられるように現在地付き地図を小さく表示する（ステップＳ１６３）。この時のメニューは通常のメニューであり、すべての項目が選択可能となっている。また、この時の地図は、自車の現在位置周辺を含んだスケールの地図であったり、施設や名称等を削除したものであったり、細街路を除き主要な道だけとし簡略表示したものであったり、コントラストを弱くして薄く表示するものであっても良い。
【００２２】
一方、ステップＳ１５０で所定値を越える移動速度の場合は、地図が見やすいほうが運転しやすいので、図５（ｃ）に示すように、メニューと地図の表示形態として、メニューの気配が感じられるようにメニューを小さく表示し、現在地付き地図を強調表示する（ステップＳ１６４）。この時のメニューは、図５（ｂ）と比べ、表示面積を小さくする。また、特定のメニュー項目をグレー等の表示にして選択操作ができないようにしたり、文字表現を削除しマークだけとしたりしても良い。また、この時の地図は、図５（ｂ）と比べ、表示面積を広くしたり、広範囲を表示したりすると良い。
【００２３】
メニューと地図の同時表示方法は、図３のフローチャートに示すように、まず、表示形態を表示制御部１５で決定する（ステップＳ２００）。これは、上述したように、ステップＳ１６０〜Ｓ１６４の５通りとなる。次に、自車位置の移動に伴い、自車位置更新を反映した地図画面の表示生成を地図表示生成部１６が行うと共に、メニュー操作を反映したメニュー画面の表示生成をメニュー表示生成部１７が行う（ステップＳ２１０）。その後、表示合成部２０は、地図画面とメニュー画面の表示の合成や重畳を行い（ステップＳ２２０）、最後に合成画面をモニター等の表示部２１に出力する（ステップＳ２３０）。
【００２４】
このように、地図画面とメニュー画面を合成したり、重畳したりして表示している際に、メニュー画面の中のボタンが選択された場合は、その処理を適宜行う。その後、戻る又は現在地ボタンが押下されたかを判定し（図２、ステップＳ１７０）、押されていない場合はステップＳ１２０に戻って、メニューと地図の同時表示を続ける。押された時は、メニュー画面を表示せず、地図画面表示だけを行って（ステップＳ１８０）処理が終了する。
【００２５】
このように構成されたナビゲーション装置は、車両の移動速度、経路設定の有無、案内対象交差点からの距離を用い、走行状態に応じて地図とメニューの表示を変える。停車中は地図を小さく表示し、メニューを強調表示するので、メニュー操作がしやすくなる。また、運転中はメニューを小さく表示し、地図を強調して大きく表示するので、地図の視認が容易となり、運転しやすくなる。更に、経路設定されている場合は、案内対象交差点が強調表示されるので、ルートを間違えにくく、運転がしやすくなる。このように、走行状態に応じて地図画面とメニュー画面の表示形態が変化して表示されるので、利便性に優れたナビゲーション装置が得られる。
【００２６】
実施の形態２．
実施の形態１では、地図画面とメニュー画面を別々のウィンドウで表示する例を示したが、本実施の形態２では、メニュー画面の透過率を変えてメニューの下に地図が透けて見えるようにすることにより、地図がシームレスな表示となり、見やすくて使いやすいナビゲーション装置について述べる。
【００２７】
装置構成は図１のブロック図と同じであり、フローチャートも図２、図３と同じである。実施の形態１との差異は、経路設定がある場合は図６、経路設定がない場合は図７の画面表示例であり、以下、この差異点について説明する。
【００２８】
ナビゲーション装置１を動作させると、図６（ａ）、図７（ａ）に示すように、ナビゲーション装置１を搭載した移動体の位置を示す自車マークを含む地図画面が表示される（図２、ステップＳ１００）。メニュー画面を呼出すためにメニューボタンが押された後、経路設定の有無、案内対象交差点との距離、移動速度を判定し、ステップＳ１６０〜Ｓ１６４の５通りの表示状態を決定する。
【００２９】
ステップＳ１６０に対応する図は、図６（ｂ）であり、本実施の形態２では、メニューを強調表示すると共に、地図の気配が感じられるようにメニューの透過率を変えて背後の地図が透けて見えるようにする。この時のメニューは半透明ではあるが通常のメニューであり、すべての項目が選択可能となっている。また、この時の地図は、図６（ａ）の地図と同じであるが、施設や名称等を削除したものであったり、細街路を除き主要な道だけとし簡略表示したものであったり、コントラストを弱くして薄く表示するものであっても良い。
【００３０】
ステップＳ１６１に対応する図は、図６（ｃ）であり、背後の地図はそのままとしながら、メニューの気配が感じられる程度にメニューの表示面積を小さくして項目がスクロールすると共に、メニューの透過率を変えて背後の地図が透けて見えるようにする。この時のメニューは、特定のメニュー項目をグレー等の表示にして選択操作ができないようにしたり、文字表現を削除しマークだけとしたりしても良い。また、この時の地図は、図６（ｂ）の地図と同じであるが、地図が見やすいように若干コントラストを上げても良い。
【００３１】
ステップＳ１６２に対応する図は、図６（ｄ）、（ｅ）であり、この時のメニューは、メニューの気配が感じられる程度にメニューの表示面積を小さくして項目がスクロールすると共に、メニューの透過率を変えて背後の地図が透けて見えるようにする。なお、メニュー項目をグレー等の表示にして選択操作を制限したり、文字表現を削除しマークだけとしたりしても良い。また、背景の地図は徐々に薄くし、そこに交差点の表示サイズを大きくして交差点で曲がることを強調表示する図をシームレスに追加する。この図は、コントラストを強くして濃く表示したり、点滅等をさせてユーザに分かりやすくしたりすると良い。なお、実施の形態１と同様に、自車の移動速度が所定値以下かどうか、特に停車中かどうかで、メニュー項目に制限を加えても良い。つまり、停車中はメニュー操作できる項目は多少有るが（図６（ｄ））、移動中は全てのメニューをグレー等の表示（図６（ｅ））としてメニューの操作を不可としてもよい。
【００３２】
ステップＳ１６３に対応する図は、図７（ｂ）であり、図６（ｂ）との差は経路が引かれていないだけである。メニューを強調表示すると共に、地図の気配が感じられるようにメニューの透過率を変えて背後の地図が透けて見えるようにする。この時のメニューは半透明ではあるが通常のメニューであり、すべての項目が選択可能となっている。また、この時の地図は、図７（ａ）の地図と同じであるが、施設や名称等を削除したものであったり、細街路を除き主要な道だけとし簡略表示したものであったり、コントラストを弱くして薄く表示するものであっても良い。
【００３３】
ステップＳ１６４に対応する図は、図７（ｃ）であり、図６（ｃ）との差は経路が引かれていないだけである。背後の地図はそのままとしながら、メニューの気配を感じる程度にメニューの表示面積を小さくして、項目がスクロールすると共に、メニューの透過率を変えて背後の地図が透けて見えるようにする。この時のメニューは、特定のメニュー項目をグレー等の表示にして選択操作ができないようにしたり、文字表現を削除しマークだけとしたりしても良い。また、この時の地図は、図７（ｂ）の地図と同じであるが、地図が見やすいように若干コントラストを上げても良い。
【００３４】
このように構成されたナビゲーション装置は、車両の移動速度、経路設定の有無、案内対象交差点からの距離を用い、走行状態に応じて地図とメニューの表示を変える際、メニューの透過率と大きさを変えて地図をシームレスに表示するので、地図が見やすくなると共に、メニューの操作性は向上する。また、案内対象交差点が強調表示されるので、利便性に優れたナビゲーション装置が得られる。
【００３５】
実施の形態３．
実施の形態１、２では、経路設定時の停車中の画面では地図を表示していたが、本実施の形態３では、信号等での進行方向を示す簡易地図を表示することより、案内対象交差点の目安を分かりやすくしたナビゲーション装置について述べる。
【００３６】
装置構成は図１のブロック図と同じであり、フローチャートも図２、図３と同じである。実施の形態１との差異は、図８（ｂ）の画面表示例であり、以下、この差異点について説明する。
【００３７】
ナビゲーション装置１を動作させると、図８（ａ）に示すように、ナビゲーション装置１を搭載した移動体の位置を示す自車マークを含む地図画面が表示される（図２、ステップＳ１００）。メニュー画面を呼出すためにメニューボタンが押された後、経路設定の有無、案内対象交差点との距離、移動速度を判定し、ステップＳ１６０〜Ｓ１６４の５通りの表示状態を決定する。
【００３８】
ステップＳ１６０に対応する図は、図８（ｂ）である。メニューを強調表示し、地図の経路の気配が感じられる簡易地図を表示する（ステップＳ１６０）。この時のメニューは、実施の形態１の図４（ｂ）のメニューと同じく、通常のメニュー表示であり、すべての項目が選択可能となっている。また、この時の簡易地図は、信号や交差点ごとに直進か曲がるかを示している。この図の場合は、４つめの信号を左折することになる。
【００３９】
なお、ステップＳ１６１に対応する図は図８（ｃ）、ステップＳ１６２に対応する図は図８（ｄ）、（ｅ）であり、これらの図は実施の形態１の図４（ｃ）〜（ｅ）と同じである。
【００４０】
このように構成されたナビゲーション装置は、車両の移動速度、経路設定の有無、案内対象交差点からの距離を用い、走行状態に応じて地図とメニューの表示を変える際、信号や交差点ごとに直進や曲がる表示をする簡易地図を表示するので、通常の地図を見ることが苦手な運転者でも理解しやすくなり、利便性に優れたナビゲーション装置が得られる。
【符号の説明】
【００４１】
１  ナビゲーション装置
２  制御部
３  アンテナ（ＧＰＳ受信用）
４  ＧＰＳ受信機
６  車速センサ
７  ジャイロセンサ
８  アンテナ（道路情報受信用）
９  道路情報受信機
１０  操作入力部
１１  マップマッチング部
１２  経路探索部
１３  経路案内部
１４  スピーカー
１５  表示制御部
１６  地図表示生成部
１７  メニュー表示生成部
１８  地図ＤＢ
１９  メニュー表示画像ＤＢ
２０  表示合成部
２１  表示部
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
移動体の移動速度及び現在位置を特定する自車位置特定部と、
ユーザの操作を入力する操作入力部と、
地図データを記録した地図データベースと、
目的地までの経路を探索する経路探索部と、
前記操作入力部からの操作情報によりメニュー画面を表示するとき、前記経路探索部または前記自車位置特定部から得られる前記移動体の走行状態の情報を用いて地図画面またはメニュー画面の表示形態を決定する表示制御部と、
前記表示制御部からの表示形態の情報に応じて地図画面を生成する地図表示生成部と、  前記表示制御部からの表示形態の情報に応じてメニュー画面を生成するメニュー表示生成部と、
前記地図表示生成部からの地図画面及び前記メニュー表示生成部からのメニュー画面を表示する表示部とを備え、
前記表示制御部は、前記移動体の走行状態の情報として、経路設定が有る場合は案内対象交差点と現在位置との距離を用いて地図画面またはメニュー画面の表示面積を変更するナビゲーション装置。
【請求項２】
前記表示制御部は、前記案内対象交差点と現在位置との距離が所定距離以内である場合には、地図画面として、案内対象交差点の地図を強調表示する請求項１記載のナビゲーション装置。
【請求項３】
前記表示制御部は、前記案内対象交差点と現在位置との距離が所定距離以内の場合には、前記距離が所定距離より遠い場合よりも前記メニュー画面の表示面積を小さくする請求項１または２記載のナビゲーション装置。
【請求項４】
前記表示制御部は、前記案内対象交差点と現在位置との距離が所定距離より遠い場合には、前記距離が所定距離以内である場合よりも前記地図画面の表示面積を小さくする請求項１から３のいずれか１項に記載のナビゲーション装置。
【請求項５】
前記表示制御部は、前記移動体の走行状態の情報として、前記案内対象交差点と現在位置との距離とともに前記移動体の移動速度を用いる請求項１から４のいずれか１項に記載のナビゲーション装置。
【請求項６】
前記表示制御部は、前記案内対象交差点と現在位置との距離が所定距離以内の場合には、前記移動速度に関係なく、前記距離が所定距離より遠い場合よりも前記メニュー画面の表示面積を小さくする請求項５記載のナビゲーション装置。
【請求項７】
小さく表示されるメニュー画面は、大きく表示されるメニュー画面と比べて、文字表現を削除したものである請求項３または６記載のナビゲーション装置。
【請求項８】
前記表示制御部は、地図画面の表示面積を小さくする場合は、移動体の現在位置を含むよう地図画面を決定する請求項４記載のナビゲーション装置。
【請求項９】
小さく表示される地図画面は、大きく表示される地図画面と比べて、施設又は名称を削除したものである請求項４記載のナビゲーション装置。
【請求項１０】
小さく表示される地図画面は、大きく表示される地図画面と比べて、細街路を除いたものである請求項４記載のナビゲーション装置。
【請求項１１】
小さく表示される地図画面は、大きく表示される地図画面と比べて、コントラストを弱くして薄く表示される請求項４記載のナビゲーション装置。
【請求項１２】
小さく表示される地図画面は、信号または交差点ごとの進行方向を示す簡易地図である請求項４記載のナビゲーション装置。
【手続補正２】
【補正対象書類名】明細書
【補正対象項目名】０００６
【補正方法】変更
【補正の内容】
【０００６】
この発明に係るナビゲーション装置は、移動体の移動速度及び現在位置を特定する自車位置特定部と、ユーザの操作を入力する操作入力部と、地図データを記録した地図データベースと、目的地までの経路を探索する経路探索部と、操作入力部からの操作情報によりメニュー画面を表示するとき、経路探索部または自車位置特定部から得られる前記移動体の走行状態の情報を用いて地図画面またはメニュー画面の表示形態を決定する表示制御部と、表示制御部からの表示形態の情報に応じて地図画面を生成する地図表示生成部と、表示制御部からの表示形態の情報に応じてメニュー画面を生成するメニュー表示生成部と、地図表示生成部からの地図画面及びメニュー表示生成部からのメニュー画面を表示する表示部とを備え、表示制御部は、移動体の走行状態の情報として、経路設定が有る場合は案内対象交差点と現在位置との距離を用いて地図画面またはメニュー画面の表示面積を変更するナビゲーション装置ものである。
【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
移動体の移動速度及び現在位置を特定する自車位置特定部と、
ユーザの操作を入力する操作入力部と、
地図データを記録した地図データベースと、
目的地までの経路を探索する経路探索部と、
前記操作入力部からの操作情報によりメニュー画面を表示するとき、前記経路探索部または前記自車位置特定部から得られる前記移動体の走行状態の情報を用いて地図画面またはメニュー画面の表示形態を決定する表示制御部と、
前記表示制御部からの表示形態の情報に応じて地図画面を生成する地図表示生成部と、  前記表示制御部からの表示形態の情報に応じてメニュー画面を生成するメニュー表示生成部と、
前記メニュー表示生成部からのメニュー画面を前記地図表示生成部からの地図画面上に表示する表示部とを備え、
前記表示制御部は、前記移動体の走行状態の情報として、経路設定が有る場合は案内対象交差点と現在位置との距離を用いて、前記地図画面の表示面積は変更せずに前記メニュー画面の表示面積を変更するナビゲーション装置。
【請求項２】
前記表示制御部は、前記案内対象交差点と現在位置との距離が所定距離以内の場合には、前記距離が所定距離より遠い場合よりも前記メニュー画面の表示面積を小さくする請求項１記載のナビゲーション装置。
【請求項３】
前記表示制御部は、前記移動体の走行状態の情報として、前記案内対象交差点と現在位置との距離とともに前記移動体の移動速度を用いる請求項１または２項に記載のナビゲーション装置。
【請求項４】
前記表示制御部は、前記案内対象交差点と現在位置との距離が所定距離以内の場合には、前記移動速度に関係なく、前記距離が所定距離より遠い場合よりも前記メニュー画面の表示面積を小さくする請求項３記載のナビゲーション装置。
【請求項５】
小さく表示されるメニュー画面は、大きく表示されるメニュー画面と比べて、文字表現を削除したものである請求項３または４記載のナビゲーション装置。
【請求項６】
前記表示制御部は、前記メニュー画面を背後の地図画面が透けて見えるように表示する請求項１から５いずれか１項に記載のナビゲーション装置。
【手続補正２】
【補正対象書類名】明細書
【補正対象項目名】０００６
【補正方法】変更
【補正の内容】
【０００６】
この発明に係るナビゲーション装置は、移動体の移動速度及び現在位置を特定する自車位置特定部と、ユーザの操作を入力する操作入力部と、地図データを記録した地図データベースと、目的地までの経路を探索する経路探索部と、操作入力部からの操作情報によりメニュー画面を表示するとき、経路探索部または自車位置特定部から得られる前記移動体の走行状態の情報を用いて地図画面またはメニュー画面の表示形態を決定する表示制御部と、表示制御部からの表示形態の情報に応じて地図画面を生成する地図表示生成部と、表示制御部からの表示形態の情報に応じてメニュー画面を生成するメニュー表示生成部と、メニュー表示生成部からのメニュー画面を地図表示生成部からの地図画面上に表示する表示部とを備え、表示制御部は、移動体の走行状態の情報として、経路設定が有る場合は案内対象交差点と現在位置との距離を用いて、地図画面の表示面積は変更せずにメニュー画面の表示面積を変更するナビゲーション装置ものである。
【国際調査報告】
2010137091.tif 000011
2010137091.tif 000012